(57)【要約】ピクチャビデオ及び垂直同期信号を含むビデオデータストリームは、マイクロプロセッサにおいて処理され、ビデオデータストリームにおける垂直同期信号の周波数の統計分散を計算する。この計算において、垂直同期信号の周波数の平均値及び分散を計算する。
2005524276.tif 000002
【特許請求の範囲】
【請求項１】
ピクチャ情報を提供する付随のビデオ信号に応じて表示装置の動作を同期させる周期同期信号ソースと、
前記同期信号は有効である場合は、通常動作モードで動作し、前記同期信号は無効である場合は、第２の動作モードで動作する利用回路と、
前記同期信号に反応し、前記利用回路と結合するプロセッサであり、同期信号の周波数の統計分散を示す値を生成し、前記統計分散は第１の閾値を超えた場合、前記利用回路の動作モードを前記通常動作モードから前記第２の動作モードへ変更するところのプロセッサと
を有する
ビデオ表示装置。
【請求項２】
前記プロセッサは、第１の期間において、前記同期信号の発生の回数をカウントし、
カウントされた前記同期信号の発生の回数は通常動作範囲を超えた場合は、前記統計分散の値に依らずに、前記利用回路の動作モードを前記通常動作モードから前記第２の動作モードへ変更する
請求項１に記載のビデオ表示装置。
【請求項３】
前記同期信号の発生回数のカウント数の通常動作範囲は、下限と上限の間に展開する。
請求項１に記載のビデオ表示装置。
【請求項４】
前記プロセッサは、前記同期信号の連続発生に対応する複数の値を生成し、前記複数の値の与えられた値は、前回の同期信号の発生から経過した期間の長さを示し、
前記プロセッサは、前記複数の値の与えられた値と前記第１の複数の値の平均値との差に従って、前記統計分散を示す値を生成する
請求項１に記載のビデオ表示装置。
【請求項５】
前記プロセッサは、前記同期信号の連続発生に対応する第１の複数の値を生成し、当該第１の複数の値の与えられた値は、前回の同期信号の発生から経過した期間の長さを示し、
前記プロセッサは、第２の複数の値から、前記統計分散を示す値を生成し、
前記第２の複数の値の与えられた値は、前記第１の複数の値の対応する値と前記第１の複数の値の平均値の差の平方に従って、前記統計分散を示す値を生成される
請求項４に記載のビデオ表示装置。
【請求項６】
前記プロセッサは、第１の期間において前記同期信号の発生の回数をカウントし、
前記第１の閾値は、前記同期信号の発生の回数に従って、動的に選択される
請求項１に記載のビデオ表示装置。
【請求項７】
前記発生回数の期待値からの偏差は大きい場合、前記選択された第１の閾値は小さい、
前記偏差は小さい場合、前記選択された第１の閾値は大きい
請求項６に記載のビデオ表示装置。
【請求項８】
前記利用回路は前記第２の動作モードで動作し、及び、前記統計分散は第２の閾値より小さい場合、前記通常動作モードでの動作が始まり、
前記統計分散は第１の閾値より小さく、前記第２の閾値より大きい場合、前記通常動作モードでの動作が続く
請求項１に記載のビデオ表示装置。
【発明の詳細な説明】
【技術分野】
【０００１】
この出願は、出願番号が６０／３７５５０４である米国仮出願の優先日の利益を主張する。
【０００２】
本発明は、ビデオ表示装置における同期信号処理装置に関する。
【背景技術】
【０００３】
典型的なテレビジュン受信機は、使用されているスタンダードに従って、入力信号からアナログ・ベースバンド信号を生成する検出器を含む。このアナログ・ベースバンド・テレビジュン信号は水平同期信号、垂直同期信号、及びビデオ部分信号を含む。ディジタル・テレビジュン受信機において、ベースバンド・テレビジュン信号は、ディジタル信号プロセッサに印加され、例えば、ＢＴ６５６スタンダードに従いビデオデータストリームを生成する。ビデオデータストリームは、対応する垂直同期信号を含む。
【０００４】
入力信号がない或いは非常に弱い場合に、ビデオデータストリームに、無効なデータが含まれる。入力信号がない或いは非常に弱いか否かを検出することは望ましい。例えば、入力信号がない或いは非常に弱い場合に、検出結果を用いて、ディスプレイをブランクし、入力信号がない或いは非常に弱いことを示すバナーをユーザに表示する。
【０００５】
発明特徴を実行する際に、ビデオデータストリームはマイクロプロセッサにおいて処理され、ビデオデータストリームの垂直同期信号の周波数の統計計算が行なわれる。この統計計算において、統計平均値及び垂直同期信号の周波数の分散を計算する。
【発明の概要】
【０００６】
本発明の特徴を具現化するビデオ表示装置は、ピクチャ情報を提供する付随のビデオ信号に応じて表示装置の動作を同期させる周期同期信号ソースと、前記同期信号は有効である場合は、通常動作モードで動作し、前記同期信号は無効である場合は、第２の動作モードで動作する利用回路と、前記同期信号に反応し、前記利用回路と結合するプロセッサであり、同期信号の周波数の統計分散を示す値を生成し、前記統計分散は第１の閾値を超えた場合、前記利用回路の動作モードを前記通常動作モードから前記第２の動作モードへ変更するところのプロセッサとを有する。
【発明の詳細な説明】
【０００７】
図１は、本発明の特徴を具体化するディジタル・テレビジュン受信機のブロック図である。通常のチューナ／ＩＦ段６６は、図示されていない検出器を有し、アンテナを経由して受信した無線周波数（ＲＦ）入力信号６５から、使用されているスタンダードに従って、アナログベースバンドビデオ信号６７を生成する。例えば、米国においてＮＴＳＣとして知られているスタンダードがある。
【０００８】
アナログベースバンドビデオ信号６７はビデオデコーダ６８に印加され、例えば従来のように、ビデオデータストリームＣＣＩＲ６５６を生成する。例えば、ＢＴ６５６スタンダードに従って、従来のように、ビデオデータストリームＣＣＩＲ６５６は生成される。
【０００９】
ビデオデコーダ６８は、例えば、ＡＤＶ７１８５又はＢＴ８１９などの集積回路（ＩＣ）を含む。ビデオデータストリームＣＣＩＲ６５６は、図示されていないスクリーンを備えるディスプレイ６４に出力される、例えば、赤、緑、青（Ｒ，Ｇ，Ｂ）ビデオ信号ＲＧＢを生成するＩＣＴＬ８５１を有するビデオプロセッサ６９に出力される。
【００１０】
ビデオデータストリームＣＣＩＲ６５６は、水平同期信号、図１に示された垂直同期信号ＶＳＹＮＣ、及び図示されていないビデオ部分信号を含む。ビデオプロセッサ６９は従来のように図示されていないプログラム割り込み信号を生成し、内部バス７０及びバスブリッジとして動作するバスマスター７２を経由して、マイクロプロセッサユニット７３に出力する。メモリ７１は、マイクロプロセッサユニット７３及びビデオプロセッサ６９に共有される。
【００１１】
図２は、図１に示すビデオデータストリームＣＣＩＲ６５６において垂直同期信号ＶＳＹＮＣが発生する度に実行されるルーチンの第１部分を説明するフローチャートを示す。図１及び図２において同じ符号数字は、同じ機能を示す。図２のルーチンは、例えば、前述のプログラム割り込み信号を介して、マイクロプロセッサユニット７３において開始される。
【００１２】
図１に示すマイクロプロセッサユニット７３において実行される図２に示すルーチンの第１の部分において、所定の期間内に、例えば、１秒間内に、垂直同期信号ＶＳＹＮＣの発生回数をカウントする図２におけるワード変数ＳｙｎｃＣｏｕｎｔｅｒは、ステップ２０１に示すように、その値は、垂直同期信号ＶＳＹＮＣが発生する度に増加される。また、ステップ２０２に示すように、直前の垂直同期信号ＶＳＹＮＣの発生から経過した期間の長さＩＮＴＥＲＶＡＬは測定され、対応するワード変数ＳａｖｅＩｎｔｅｒｖａｌ［Ｉｎｄｅｘ］に記録され、ステップ２０３に示すように、インデックスワードＩｎｄｅｘは増加される。ワード変数ＳａｖｅＩｎｔｅｒｖａｌ［１］−ＳａｖｅＩｎｔｅｒｖａｌ［１０］に置かれている、例えば、最近１０個の時間間隔ＩＮＴＥＲＶＡＬの長さは、図１におけるマイクロプロセッサユニット７３によるさらなる処理に利用可能である。これは、図２におけるステップ２０４に示すように、演算Ｉｎｄｅｘ＝ｍｏｄ（Ｉｎｄｅｘ、１０）を行うことにより実現される。ここで、符号ｍｏｄ（Ｉｎｄｅｘ、１０）は、１０のモジュラ演算を示す。
【００１３】
図３は、図１におけるマイクロプロセッサユニット７３において実行されるルーチンの第２の部分であって、前記の１秒間の期間の終わり時点でのものを説明するフローチャートを示す。図１、図２及び図３において同じ符号数字は同じ機能を示す。図２における操作の結果、図２におけるワード変数ＳｙｎｃＣｏｕｎｔｅｒには、直前の１秒間内において垂直同期信号ＶＳＹＮＣの発生回数は含まれる。よって、ワード変数ＳｙｎｃＣｏｕｎｔｅｒは、垂直同期信号ＶＳＹＮＣの周波数を示す。
【００１４】
図３における垂直同期信号ＶＳＹＮＣは、Ｎの４分の１となる値、即ち、Ｎ／４、と比較される。ここで、ステップ３０１に示すように、Ｎは、垂直同期信号ＶＳＹＮＣの周波数は期待の周波数である場合のワード変数ＳｙｎｃＣｏｕｎｔｅｒの期待値である。入力信号の周波数の期待値により定められるＮの値は、異なる動作モードにおいて異なっても良い。例えば、垂直同期信号ＶＳＹＮＣの周波数の期待値は３０Ｈｚである場合、前記１秒間の期間に対応するＮの値は３０である。
【００１５】
同様に、ワード変数ＳｙｎｃＣｏｕｎｔｅｒは、ステップ３０２に示すように、Ｎの３倍となる値、即ち、３Ｎと比較される。ワード変数ＳｙｎｃＣｏｕｎｔｅｒの値は範囲（Ｎ／４＜ＳｙｎｃＣｏｕｎｔｅｒ＜３Ｎ）内にない場合は、垂直同期信号ＶＳＹＮＣの周波数は受け入れ可能の範囲以外にあるとし、経路３０１ａ及び経路３０２ａを経由する状態３０７に示すように、入力信号はない或いは非常に弱いと視される。ワード変数ＳｙｎｃＣｏｕｎｔｅｒの値は範囲（Ｎ／４＜ＳｙｎｃＣｏｕｎｔｅｒ＜３Ｎ）内にある場合は、マイクロプロセッサユニット７３は、次に示ように垂直同期信号ＶＳＹＮＣの周波数の統計計算を行なう。
【００１６】
計算用の電力及び時間を節約するために、例えば、ステップ３０３に示すように、ワード変数ＳａｖｅＩｎｔｅｒｖａｌ［１］−ＳａｖｅＩｎｔｅｒｖａｌ［１０］に置かれている、例えば、最近１０個の時間間隔のみは、垂直同期信号ＶＳＹＮＣの周波数の平均値ＭＥＡＮ及び分散ＶＡＲＩＡＮＣＥを計算するのに用いる。
【００１７】
発明特徴を実行する際に、ＶＡＲＩＡＮＣＥの値は、同期信号ＶＳＹＮＣの周波数の平均値に対して、同期信号ＶＳＹＮＣの周波数の変動の範囲を示す。これにより、ＶＡＲＩＡＮＣＥの値は、同期信号ＶＳＹＮＣの安定性を示し、ＶＡＲＩＡＮＣＥの値が大きい場合は、周波数の安定性が低いこと示す。
【００１８】
ステップ３０４に示すように、ワード変数ＳｙｎｃＣｏｕｎｔｅｒは２Ｎ／３と比較される。ワード変数ＳｙｎｃＣｏｕｎｔｅｒの値は２Ｎ／３より小さく、かつ、計算で得られたＶＡＲＩＡＮＣＥの値は閾値Ｖ１、例えば、５００、より大きい場合は、
経路３０４ａを経由する状態３０７に示すように、入力信号はない或いは非常に弱いと視される。
【００１９】
同様に、ステップ３０５に示すように、ワード変数ＳｙｎｃＣｏｕｎｔｅｒは５Ｎ／６と比較される。ワード変数ＳｙｎｃＣｏｕｎｔｅｒの値は５Ｎ／６より小さく、かつ、計算で得られたＶＡＲＩＡＮＣＥの値は閾値Ｖ２、例えば、１５００、より大きい場合は、
経路３０５ａを経由する状態３０７に示すように、入力信号はない或いは非常に弱いと視される。
【００２０】
したがって、ステップ３０４において、周波数の期待値に対する周波数の偏差がステップ３０５より大きい、また、ステップ３０５より小さい分散ＶＡＲＩＡＮＣＥは、信号ＶＳＹＮＣは無効である判断をもたらす。入力信号はない或いは非常に弱いと視される場合、無効の判断を用いて図１におけるディスプレイ６４のスクリーン上に表示されるピクチャをブランクし、或いは、入力信号がない或いは非常に弱いことを示すバナーをユーザに表示する。
【００２１】
ルーチンの最後のステップであるステップ３０６において、ＶＡＲＩＡＮＣＥの値は自らテストされる。ＶＡＲＩＡＮＣＥの値がゼロである場合は、即ち、同期信号ＶＳＹＮＣの周波数の安定性が非常に高いこと示す場合、ステップ３０９に示すように、信号ＶＳＹＮＣは有効であると視される。そうでない場合、ステップ３０８に示すように、一番最近行った判断は、信号ＶＳＹＮＣは有効と視されるか無効と視されるかに拘わらず、維持され、変更されない。
【００２２】
従って、他の発明特徴を実行する際に、現在生成されたＶＡＲＩＡＮＣＥの値は、ヒステリシスを提供する態様で、閾値Ｖ１とＶ２の何れかより小さい場合は、マイクロプロセッサユニット７３は、以前ステップ３０１、３０２、３０４、又は３０５の何れかにおいて行った無効との判断を、ステップ３０６にいて有効との判断に変更する。例えば、信号ＶＳＹＮＣの周波数安定性の顕著な劣化がない場合は、以前にされた信号ＶＳＹＮＣは有効である判断を変えない。一方、信号ＶＳＹＮＣの周波数安定性が高くない場合は、以前にされた信号ＶＳＹＮＣは無効である判断を変えない。
【００２３】
好ましくは、信号ＶＳＹＮＣが有効であると判断するために、その周波数は精確に期待値と一致する必要がない。従って、例えば、ビデオレコーダは、周波数が期待値と多少異なる早送りモードで動作する場合であっても、生成された信号ＶＳＹＮＣに関する判断は有効である。
【図面の簡単な説明】
【００２４】
【図１】本発明の特徴を具体化するディジタル・テレビジュン受信機のブロック図である。
【図２】図１における装置に実行されるルーチンの第１部分を説明するフローチャートを示す。
【図３】図１における装置に実行されるルーチンの第２の部分を説明するフローチャートを示す。
【図１】
2005524276.tif 000003
【図２】
2005524276.tif 000004
【図３】
2005524276.tif 000005
【国際調査報告】
2005524276.tif 000006